(57)【要約】      （修正有）【課題】家庭で羽毛布団を長期保管する場合、湿気を軽減し、コンパクトに収納でき、かつ、収納スペースの軽減が可能な収納ケースを提供する。【解決手段】収納ケース１２の外装を適度な強度で保ち、内側に圧縮バンド４Ａ、４Ｂを取り付けることにより保管時にスペースの軽減化が可能になる。保管時に考えられる湿気の対策として竹炭シートの使用することと、通気穴７を２か所設けてある。胴部シートを折りたたみ可能にすること、折りたたんだ状態を維持するためにスナップボタン６Ａ等を取り付けることで保管時にスペースの軽減化が可能になる。【選択図】図１
0003154889.tif 000002
【実用新案登録請求の範囲】
【請求項１】
直方体の胴部４面と蓋シートと底シートのそれぞれを、硬質紙を全体に不織布で覆ったシートと、胴部の４面の外側に取り付けた不織布シートで構成し、蓋の長辺の一辺と胴部の不織布の上部である長辺の一辺を固着し、蓋シートと胴部の他の三辺にファスナーを取り付け、出し入れ口をもうけた羽毛布団収納ケースであり、胴部は空間でその内部に圧縮用ベルトを取り付けていることを特徴とする羽毛布団収納ケース。
【請求項２】
底シートは、その上面に竹炭シートを縫合したものであることを特徴とする請求項１記載の羽毛布団収納ケース。
【考案の詳細な説明】
【技術分野】
【０００１】
この発明は、羽毛布団を収納するふとん収納ケースに関し、特に羽毛布団の保管に適切な保管ケースに関する。
【背景技術】
【０００２】
家庭で羽毛ふとんを収納するさいに、当該ケースを使用することによりコンパクトなサイズにして保管することが可能となる。
【先行技術文献】
【特許文献】
【０００３】
【特許文献１】特開2008−13246号公報
【考案の概要】
【考案が解決しようとする課題】
【０００４】
羽毛布団が有する体積を流通の段階、家庭での保管の段階において、できるだけ小さくすることで流通経費の軽減、便利性の向上が訴求できる。また、保管時に生じやすい湿気についての対策を講じることにより安心性を得ることができる。家庭で羽毛布団収納ケースを使用しない期間は、羽毛布団収納ケース自体が有する体積を小さくすることで省スペース化を図る。
【０００５】
特開2008−13246号公報の収納袋に収納した状態の羽毛布団は、あまり圧縮された状態ではなく、また収納時に相当の人為的な力を必要とする。
【課題を解決するための手段】
【０００６】
この考案の第１は、直方体の胴部４面と蓋と底のそれぞれを、硬質紙を全体に不織布で覆ったシートで構成し、蓋の長辺の一辺と胴部の上部である長辺の一辺を開閉自在に固着し、ファスナーを取り付けた出し入れ口をもうけた羽毛布団収納ケースであり、胴部は空間であり、その内部に圧縮用ベルトを取り付けていることを特徴とする羽毛布団収納ケースである。第２は、底部は竹炭シートを付帯したものであることを特徴とする羽毛布団収納ケースである。
【０００７】
羽毛布団の保管時に考えられる湿気の対策として、調湿性を有する竹炭シートを添付し、胴部に通気穴を2ヶ所設けてある。
【０００８】
羽毛布団収納ケースを使用しない期間は、直方体から平面体に折畳むことができ、スナップボタンで形体の維持が可能である。
【考案の効果】
【０００９】
羽毛布団の製造場所より店舗までの流通段階において、当該ケースを使用することにより、従来より省スペース化でき、店舗においても陳列の際に省スペース化できる。消費者においては購買後、自宅までの運搬においての利点となり、保管時の省スペース化となる。
【図面の簡単な説明】
【００１０】
【図１】この発明の実施形態を示す収納ケースの一例を示す全体図である。
【図２】図1の収納ケースの平面図である。
【図３】図１の収納ケース本体を折りたたんだ全体図である。
【図４】図１の収納ケース本体を折りたたんだ底面から見た全体図を示す。
【考案を実施するための形態】
【００１１】
以下、図１〜図４に示すように、考案を実施する為の形態を説明する。図１は羽毛布団の収納ケース１２の全体の、蓋シート１を開口した状態を示す図で、羽毛布団（図示せず）を収納したとき直方体状となり、図２は蓋シート１を開口した平面図で、図３は直方体である羽毛布団の収納ケース１２を折りたたんだ状態の全体を示す図である。図４は図３同様の状態の底シート１０を示す。実施例では収納ケース１２の大きさは、高さ２３ｃｍ縦３０ｃｍ横４０ｃｍのものを作ってみた。尚、羽毛布団の大きさ、厚みに応じて高さ３２ｃｍ縦４２ｃｍ横５６ｃｍの範囲で選べばよい。
【００１２】
収納ケース１２である本体は、図１で示す胴部１３を不織布からなる側面不織布２Ａ、２Ｂ、２Ｃ、２Ｄと、その内側に図２で示す硬質ダンボールを不織布で覆った側面シート９Ａ、９Ｂ、９Ｃは連結され、側面シート９Ｄは独立した１枚の４面と、蓋シート１、図４に示す底シート１０により直方体の形体となる。
【００１３】
羽毛布団の出し入れ口は、図１で示した胴部１３の側面不織布２Ａ、２Ｂ，２Ｃ上部３辺と、蓋シート１の３辺に取り付けたファスナー３Ａ、３Ｂにより開閉可能で、側面シート２Ａにテープ製の手提げ用ベルト５が２箇所の縫合により取り付けてある。蓋シート１に収納品認識用の透明ビニールシート１１が設けてある。
【００１４】
図１、図２で示す圧縮バンド４Ａは、底シート１０と胴部側面不織布２Ｄと、圧縮バンド４Ｂは、底シート１０と胴部２Ａの結合部分で縫合され取り付けてあり、圧縮バンド４Ａは、長さの調整できる機能が付帯され、それぞれ先端部分には、結合可能な部品が付帯する。
【００１５】
図２で示す底シート１０の内側に竹炭シート８が縫合してあり、図１で示す側面不織布２Ｂ、２Ｃの中央部に空気穴が設けてある。
【００１６】
図３、図４で示す蓋シート１の内側４隅４箇所にゴムに取り付けたスナップボタン凹を、底シート１０の外側４隅４箇所に凸部を取り付け、図３はスナップボタンを結合させた形体を示す。
【実施例】
【００１７】
収納ケースに羽毛布団を収納する際には、羽毛布団を開口サイズに応じた形状に折りたたみ、本体に投入し、圧縮バンド４Ａ、４Ｂを結合させ、バンド長さ調整部分でバンドを引くことにより羽毛布団を圧縮し、ファスナー３Ａ、３Ｂにより開口口を閉じる。
【００１８】
保管時期が過ぎ、羽毛布団を使用する際は上記と逆の手順で、ファスナー３Ａ、３Ｂを開き、圧縮バンド４Ａ、４Ｂの結合部分を解き、羽毛布団を取り出す。
【００１９】
羽毛布団を取り出した後、図２に示した結合する側面シート９Ａ、９Ｂ、９Ｃを折りたたみ、独立する側面シート９Ｄを倒し平面状にして、スナップボタン６Ａと図４のスナップボタン６Ｂを結合することで図３に示す形体となる。
【産業上の利用可能性】
【００２０】
羽毛布団の収納容器を扱う業界で活用ができる。
【符号の説明】
【００２１】
１  蓋シート      
２Ａ  側面不織布  
２Ｂ  側面不織布  
２Ｃ  側面不織布  
２Ｄ  側面不織布          
３Ａ  ファスナー  
３Ｂ  ファスナー  
４Ａ  圧縮バンド  
４Ｂ  圧縮バンド  
５．手下げ用ベルト  
６Ａ  ゴム付きスナップ凹  
６Ｂ  スナップ凸  
７  空気穴  
８  竹炭シート  
９Ａ  側面シート  
９Ｂ  側面シート  
９Ｃ  側面シート  
９Ｄ  側面シート  
１０  底シート  
１１  透明ビニールシート
１２  収納ケース
１３  胴部
【図１】
0003154889.tif 000003
【図２】
0003154889.tif 000004
【図３】
0003154889.tif 000005
【図４】
0003154889.tif 000006